(57)【特許請求の範囲】
【請求項１】
骨折した部位の骨肉を固定する先端にスクリューを持つ固定ボルトの抜去を促進するものにおいて、先端には前記ボルトの回転用溝へ挿入できる挿入部を備えた挿着部を持ち、該挿着部の挿入部はボルトの溝内へ挿着されると該溝内で、骨肉を固定するスクリュウーを固定又は反固定方向へ揺動させる手段を備え、該揺動手段は、骨肉部と固定部材との間の固着を固定ボルトの抜去に先立って剥離させる揺動手段であって、骨折した部位の骨肉を固定する固定ボルトの抜去を促進させることを特徴とするプロモータ具
【請求項２】
前記揺動手段に対して揺動力又は揺動幅を増減させる手段を備えており、該揺動により予め骨肉部と固定部材との間の固着を剥離させておき抜去を促進させることを特徴とする請求項１記載のプロモータ具
【請求項３】
前記揺動機構の揺動力又は揺動幅を増減させる手段は、電流の増減又はクランク機構の回転半径を増減させることを特徴とする請求項２記載のプロモータ具
【請求項４】
前記揺動機構は、電磁石により往復動を生じさせるものであることを特徴とする請求項２記載のプロモータ具
【請求項５】
前記揺動機構は、回転円板とクランク機構により揺動を生じさせるものであることを特徴とする請求項２記載のプロモータ具
【請求項６】
前記揺動機構は、駆動回転円板と被駆動円板とを結ぶクランク機構により、駆動円板が回動すると駆動回転円板に取り付けられたクランク機構が被駆動側に対し往復動し、これによって被駆動円板が揺動を生じさせるものであることを特徴とする請求項２記載のプロモータ具
【発明の詳細な説明】
【０００１】
【発明の属する技術分野】
本発明は、従来、例えば骨盤などが骨折した場合に、固定する部材で治癒するまでに固定しておき、治癒した後で、該固定する部材を外していたが、その固定部材の外すことを促進するものに関する。
【０００２】
【従来の技術】
従来、例えば、図６に示すように、骨盤に対して大腿骨の根本部分を骨折した場合には、図７に示すように、太く長いねじ付きのスクリュウ・ボルトがよく使用されており、それによって骨折部分を固定していた。接合部分が治癒した後は、該ボルトをドライバーで、スクリュウ・ボルト頭部の溝部を回転させて取り外すことが行われていた。
【０００３】
【発明が解決しようとする課題】
上記の、固定を解除する構成では、治癒すると骨肉部分がボルトに密着して、取り外すこときには痛みを伴うので、患者に対しては、細心にして充分な注意が必要であった。このため、取り外しには慎重に行うのでかなりの時間を要していた。特に、幼児などの場合には、その固定の解除には、大幅な時間を要していたのが現状であった。
【０００４】
そこで、本発明では、骨肉の固定ボルトを解除するに当たり、骨肉の固定部材であるボルトの回転用の溝を予め揺動させて抜去し易くし、患者への痛みや苦痛をできる限り与えずに、解除を促進し、早期な解除時間をえることのできるプロモータ具を提供する。
【０００５】
上記の課題を解決するために本発明では、骨折した部位の骨肉を固定する先端にスクリューを持つ固定ボルトの抜去を促進するものにおいて、先端には該ボルトの回転用溝へ挿入できる挿入部を備えた挿着部を持ち、該挿着部の挿入部は溝内へ挿着されると該溝内で、骨肉を固定するスクリュウーを固定又は反固定方向へ揺動させる手段を備え、該揺動手段は、骨肉部と固定部材との間の固着を固定ボルトの抜去に先立って剥離させるものであって、骨肉部と固定部材との間の固着を剥離させるようにすることで、骨折した部位の骨肉を固定する固定ボルトの抜去を促進させるプロモ−タ具を提供する。従って、ボルトを抜去さるに当たり予め本プロモータを作動させ患者の痛みを軽減することができ、その抜去の時間も短縮できることとなる。
【０００６】
更に、骨折した部位の骨肉を固定する部材の抜去を促進するものにおいて、該部材に対して揺動させる力又は揺動幅を増減させる手段を備えており、該揺動により予め骨肉部と固定部材との間の固着を剥離させておき抜去を促進させるプロモ−タ具を提供する
【０００７】
前記揺動機構の揺動させる力又は揺動幅を増減させる手段は、電流の増減又はクランク機構の回転半径を増減させるプロモ−タ具を提供するものであって、この手段によって、解除に要する抜去をスムースに促進させる。
【０００８】
又、前記揺動機構は、電磁石により往復動を生じさせるものであるプロモ−タ具を備えるものである。
【０００９】
前記揺動機構は、回転円板とクランク機構により往復動を生じさせるものであるプロモ−タ具である。
【００１０】
前記揺動機構は、駆動回転円板と被駆動円板を結ぶクランク機構により往復動を生じさせるものであるプロモ−タ具である。
【００１１】
【発明の実施の形態】
本発明の実施の形態を実施例に基づき、図面を参照して説明する。図１は、骨肉固定材料である固定ボルト１０を揺動により緩めて抜去を促進させるプロモータ具１の実施例の一つである。
【００１２】
プロモータ具１の構造は、図１に示すように、主に軸芯周りに揺動する揺動軸１１と該揺動軸１１を揺動させる駆動部材及び電源（図示せず）からなっている。
【００１３】
揺動軸１１は、本実施例では、図１に示すように、先端にスクリュウが設けれている固定ボルト１０を揺動させる部材である挿着チャック部１２を装着させる挿着部１１０が設けられており、該挿着部１１０には、孔１１１が設けられている。挿着チャック部１２の先端は、骨肉の骨折部を固定する固定ボルト１０の回転用の溝（マイナス又は十文字溝）へ挿着される挿入部１２１があり、後部には挿着部１１０の前記孔１１１へ嵌る嵌入部１２０が設けられている。挿着チャック部１２の挿入部１２１が固定ボルト１０の回転用の溝へ嵌り、揺動運動、即ちスクリュウを固定させる方向又は反固定方向へ揺動、往復動させ固着を予め緩めることになる。
嵌挿関係は、挿着チャック部１２の嵌入部１２０は六角部となっており、対応する挿着部１１０の孔１１１も六角部となっており、簡単に着脱自在ができるようになっている。勿論、角形としては、六角形の外種々のものが採用できる。
【００１４】
挿着チャック部１２は、固定ボルト１０の大きさが異なり、固定ボルト１０の頭部の溝寸法が違う場合には、寸法に合致したものに変えられるようにしておくこともでき、直ちに、挿着チャック部１２を挿着部１１０の孔１１１から外して交換することができる。
【００１５】
図２に示すものは、本発明の実施例であるプロモータ具１を使用している状態である。固定ボルト１０に対して、揺動動させており、その結果、固定ボルト１０が緩みやすくなるので、最初から、固定ボルト１０を回動させるものに対して、回動による患者の痛みを著しく軽減することが可能となった。
特に、最初は、揺動角度の振幅を小さくして所謂微振動をさせて、回動に対する抵抗力への影響を小として、骨肉部に対して緩やかな微振動を与えつつ、揺動による振動速度を大としていくか又は次第に振幅を大として行くのが、患者に対する痛みの軽減を更にする上で好ましい。
【００１６】
又は、揺動に係る力を弱いものから強いものへと変換させて行ってもよい。
【００１７】
揺動機構としては、機械的な手段や電気的な手段など種々な方法が採用できる。
【００１８】
図３の（１）に示すものは、電気的な手段の一例であって、電磁石１１３によって揺動させるものであって、フリップフロップ回路でトライアック１，２を交互に切り換えて揺動させるものである。電磁石で揺動軸１１につながっている揺動バー１１２を吸引し、その後電流を遮断して、反対側の電磁石１１３が吸引することで揺動させる。
【００１９】
なお、回路に可変変圧器をつないでおいて、揺動に係る力を変化させておき、漸次弱から強へと切り換えることもできる。
【００２０】
図３の（２）に示すものは、同様に片方のみが電磁石で、他方はバネが設けられており、フリップフロップ回路とスイッチング回路によって、揺動を起こさせている。本例でも、直流回路に可変の抵抗器（図示せず）を入れておき、電流を制御して、揺動に係る力を変化させておき、漸次弱から強へと切り換えて、患者への痛みを軽減することが可能である。
【００２１】
その他揺動の幅を変える手段として、電磁石と揺動バーとの間隙を変えることでも行える。
【００２２】
図４の（１）に示すように、電磁石１１２の支持具１１４へねじを切り、ねじ軸１１５を端部のつまみ１１７を回動させることで接近又は離反させることができるので、最初は振幅を小さくしておき、次第に大きくしていくことが可能である。
【００２３】
勿論左右の電磁石１１２の支持具のねじは、左右反対である。
【００２４】
又、機械的に揺動する手段としては、図５に示すように、揺動運動ができる機構が採用できる。図５の（１）のは、左側の駆動輪７が回動すると被駆動輪７０が揺動する。
【００２５】
又、図５の（２）に示すものは、駆動輪８が一方向に回転すると、左のラック８０が往復動して、揺動軸１１へつながる被駆動歯車８０１を揺動させる。なお、副支持歯車８００、８００は、その往復動を支持するものである。なお、８１０は、往復動の移動幅を増するためのピストンを移動させる孔であって、ピストンを該孔８１０へ移すことで移動幅が減じ又は増やすことができる。
【００２６】
この点は、図５の（１）の場合でも、同様に、駆動輪７にも位置移動用の孔７１０を設けて行うことができる。
【００２７】
上記に示した揺動機構の外、従来当業者によって慣用されている様々な機構や回路が当業者によって設けられ得るのは当然である。このように患部への痛みを大きく減少させることができ、固定部材が緩んだ後は、ドライバー等で簡単に外すことができる。
【００２８】
又、上記の構造を受けて、プロモータ１には、揺動の振幅を調整する振幅調整レバー２、直流電源の場合には、バッテリー収納部４、バッテリー取り外しレバー３等を設けることもできる。バッテリー収納部４は、図示の実施例では、プロモータ１本体からほぼ直角に延出しており、全体でピストル型になっているので、把握し易く作業も容易である。勿論直線上の筒状として、バッテリー収納部４を格納して構成することも可能である。
【００２９】
【発明の効果】
以上述べて来たように、本発明は、、骨肉の固定部材を解除するに当たり、予め固定部材を揺動させて解除し易くすることが可能となり、患者の痛みや苦痛を著しく軽減できることとなった。
【００３０】
更に、本発明では、予め固定に対する解除力を軽減しておけるので、患者の痛みや苦痛を軽減できるばかりでなく、結果的に早期な解除を可能とすることが可能となる。
【００３１】
又、徐々に揺動の力や振幅幅を小から次第に大とすることで、よりスムースな解除が可能となる。
【００３２】
【図面の簡単な説明】
【図１】本発明の一実施例であるプロモータ具を示す。
【図２】本発明の一実施例であるプロモータ具を実際に使用している状況を示す。
【図３】本発明のプロモータ具へ適用される揺動機構の一実施例を示す。
【図４】本発明のプロモータ具へ適用される揺動機構の揺動幅の増減させる機構の一実施例を示す。
【図５】本発明のプロモータ具へ適用される揺動機構の揺動幅の増減させるメカニズム機構の一実施例を示す
【図６】骨折した部位の状況を示す一般的な例を示す。
【図７】骨折した部位に対してスクキュウリュウ・ボルトで固定した状況を示す。
【符号の説明】
１         プロモータ具
１０   固定ボルト
１１        揺動軸
１１０ 挿着部
１１１ 孔
１２     挿着チャック部
１２０     嵌入部
１２１      挿入部
１１３      電磁石
２         振幅調整レバー
７         駆動輪
７０       被駆動輪
８         駆動輪
８０       ラック
【図１】
0004072750.tif 000002
【図２】
0004072750.tif 000003
【図３】
0004072750.tif 000004
【図４】
0004072750.tif 000005
【図５】
0004072750.tif 000006
【図６】
0004072750.tif 000007
【図７】
0004072750.tif 000008